(57)【要約】【課題】足場材の支柱への連結をより安全かつ確実でしかも簡易に実施することができる仮設足場用連結構造体を提供する。【解決手段】２つの板状部材２１、２２の間に保持ピン２５を有し足場材Ｐが固定された本体部材２０と、くさび受け１５の穴部１６に上方から抜き差し自在に本体部材２０に一体に形成された上側固定くさび部３０と、本体部材２０の保持ピン２５に係着して上下動するための縦溝部４２を有し、前側には上昇時にくさび受け１５の穴部１６に下方から挿入され下降時にくさび受け１５の穴部１６から抜去される下側可動くさび部４３が一体に突設され、後部には係合部４５が形成された可動体４０と、可動体４０の係合部４５に対して前進時に係合し後退時には係合解除するように本体部材２０に進退自在に設けられたロック部材５０とを有する。【選択図】図１
2007332552.tif 000002
【特許請求の範囲】
【請求項１】
仮設足場用の筋交い材若しくは水平材若しくは垂直材等の足場材（Ｐ）を支柱（１１）のくさび受け（１５）に取り外し可能に連結するための構造体（１０）であって、
２つの板状部材（２１、２２）の間に保持ピン（２５）を有し前記足場材（Ｐ）が固定された本体部材（２０）と、
前記くさび受けの穴部に上方から抜き差し自在に前記本体部材に一体に形成された上側固定くさび部（３０）と、
前記本体部材の保持ピンに係着して上下動するための縦溝部（４２）を有し、前側には上昇時に前記くさび受けの穴部に下方から挿入され下降時に前記くさび受けの穴部から抜去される下側可動くさび部（４３）が一体に突設され、後部には係合部（４５）が形成された可動体（４０）と、
前記可動体の係合部に対して前進時に係合し後退時には係合解除するように前記本体部材に進退自在に設けられたロック部材（５０）
とを有することを特徴とする仮設足場用連結構造体。
【請求項２】
前記可動体が上下方向に直動するための上下動ガイドピン（２６，２７）が本体部材に設けられた請求項１に記載の仮設足場用連結構造体。
【請求項３】
前記可動体に脱落防止部（４８）が設けられた請求項１又は２に記載の仮設足場用連結構造体。
【請求項４】
前記ロック部材が前後方向に直動するための前後動ガイドピン（２７，２８，２９）が本体部材の設けられた請求項１ないし３のいずれか１項に記載の仮設足場用連結構造体。
【請求項５】
前記ロック部材に脱落防止部（５３）が設けられた請求項１ないし４のいずれか１項に記載の仮設足場用連結構造体。
【請求項６】
前記ロック部材の先端部（５５）がくさび状に構成された請求項１ないし５のいずれか１項に記載の仮設足場用連結構造体。
【請求項７】
前記ロック部材後部にハンマー打ち込み用の突部（５６）が形成された請求項１ないし６のいずれか１項に記載の仮設足場用連結構造体。
【発明の詳細な説明】
【技術分野】
【０００１】
本発明は、仮設足場用の筋交い材若しくは水平材若しくは垂直材等の足場材を支柱のくさび受けに取り外し可能に連結するための仮設足場用連結構造体に関する。
【背景技術】
【０００２】
一般に、建築物等の工事等を行う際には、その外周に仮設足場が設置されるものであって、複数本の支柱を所定間隔で配置し、前記各支柱間に足場板を架設させて一の階層の足場を形成し、上方に支柱を順次継ぎ足して同様に足場板を架設させることにより複数階層の足場を形成してなる。このような仮設足場にあっては、上方への足場の継ぎ足し作業をする際の安全対策として、足場板を架設させる前に筋交い材若しくは水平材若しくは垂直材等の足場材を手すりとして先行して配置するように構成される。
【０００３】
上記の如く、足場材を配置する場合には、前記足場材を支柱のくさび受けに取り外し可能に連結するための仮設足場用連結構造体が使用される。この仮設足場用連結構造体としては、例えば、図５に示すように、コの字型の本体部材１２０と、前記本体部材１２０に上下方向にスライド自在に配置され前記くさび受け１１５の上方から抜き差し可能に形成されたくさび部１３０とを有する仮設足場用連結構造体１００が知られている（例えば、特許文献１参照。）。図において、符号１１６はくさび受け１１５の穴部、１２１，１２２は本体部材１２０を構成する２枚の板状部材、１３１はくさび受け１１５の穴部１１６に挿入可能な突部、１３２，１３３は本体部材１２０より幅広に形成された抜け止め部、Ｐは足場材を表す。
【０００４】
この仮設足場用連結構造体１００では、支柱１１１のくさび受け１１５の上下両端にコの字型の本体部材１２０を係合されることにより、下方から力が作用しても外れにくく、さらに、くさび部１３０を支柱１１１のくさび受け１１５に対して着脱することで当該仮設足場用連結構造体１００を固定することが可能であるため、取付作業を容易に行うことができる。
【０００５】
ところで、従来の仮設足場用連結構造体１００では、くさび受け１１５に対してくさび部１３０を打ち付けて固定するものであるため、くさび部１３０が意図せずくさび受け１１５から抜けるような不測の事態が発生した場合に当該仮設足場用連結構造体１００の固定が解除されてしまう等の安全性に問題があった。
【特許文献１】特開２００２−７０３０４号公報
【発明の開示】
【発明が解決しようとする課題】
【０００６】
本発明は前記の点に鑑みなされたものであり、足場材の支柱への連結をより安全かつ確実でしかも簡易に実施することができる仮設足場用連結構造体を提供するものである。
【課題を解決するための手段】
【０００７】
すなわち、請求項１の発明は、仮設足場用の筋交い材若しくは水平材若しくは垂直材等の足場材（Ｐ）を支柱（１１）のくさび受け（１５）に取り外し可能に連結するための構造体（１０）であって、２つの板状部材（２１、２２）の間に保持ピン（２５）を有し前記足場材（Ｐ）が固定された本体部材（２０）と、前記くさび受けの穴部に上方から抜き差し自在に前記本体部材に一体に形成された上側固定くさび部（３０）と、前記本体部材の保持ピンに係着して上下動するための縦溝部（４２）を有し、前側には上昇時に前記くさび受けの穴部に下方から挿入され下降時に前記くさび受けの穴部から抜去される下側可動くさび部（４３）が一体に突設され、後部には係合部（４５）が形成された可動体（４０）と、前記可動体の係合部に対して前進時に係合し後退時には係合解除するように前記本体部材に進退自在に設けられたロック部材（５０）とを有することを特徴とする仮設足場用連結構造体に係る。
【０００８】
請求項２の発明は、前記可動体が上下方向に直動するための上下動ガイドピン（２６，２７）が本体部材に設けられた請求項１に記載の仮設足場用連結構造体に係る。
【０００９】
請求項３の発明は、前記可動体に脱落防止部（４８）が設けられた請求項１又は２に記載の仮設足場用連結構造体に係る。
【００１０】
請求項４の発明は、前記ロック部材が前後方向に直動するための前後動ガイドピン（２７，２８，２９）が本体部材の設けられた請求項１ないし３のいずれか１項に記載の仮設足場用連結構造体に係る。
【００１１】
請求項５の発明は、前記ロック部材に脱落防止部（５３）が設けられた請求項１ないし４のいずれか１項に記載の仮設足場用連結構造体に係る。
【００１２】
請求項６の発明は、前記ロック部材の先端部（５５）がくさび状に構成された請求項１ないし５のいずれか１項に記載の仮設足場用連結構造体に係る。
【００１３】
請求項７の発明は、前記ロック部材後部にハンマー打ち込み用の突部（５６）が形成された請求項１ないし６のいずれか１項に記載の仮設足場用連結構造体に係る。
【発明の効果】
【００１４】
請求項１の発明に係る仮設足場用連結構造体によれば、仮設足場用の筋交い材若しくは水平材若しくは垂直材等の足場材（Ｐ）を支柱（１１）のくさび受け（１５）に取り外し可能に連結するための構造体（１０）であって、２つの板状部材（２１、２２）の間に保持ピン（２５）を有し前記足場材（Ｐ）が固定された本体部材（２０）と、前記くさび受けの穴部に上方から抜き差し自在に前記本体部材に一体に形成された上側固定くさび部（３０）と、前記本体部材の保持ピンに係着して上下動するための縦溝部（４２）を有し、前側には上昇時に前記くさび受けの穴部に下方から挿入され下降時に前記くさび受けの穴部から抜去される下側可動くさび部（４３）が一体に突設され、後部には係合部（４５）が形成された可動体（４０）と、前記可動体の係合部に対して前進時に係合し後退時には係合解除するように前記本体部材に進退自在に設けられたロック部材（５０）とを有するため、足場材の支柱への連結をより安全かつ確実でしかも簡易に実施することができる。
【００１５】
請求項２の発明によれば、請求項１において、前記可動体が上下方向に直動するための上下動ガイドピン（２６，２７）が本体部材に設けられたため、可動体をスムーズに上下動させることが可能となり、より作業性が向上する。
【００１６】
請求項３の発明によれば、請求項１又は２において、前記可動体に脱落防止部（４８）が設けられたため、作業中の安全性をより向上させることができる。
【００１７】
請求項４の発明によれば、請求項１ないし３において、前記ロック部材が前後方向に直動するための前後動ガイドピン（２７，２８，２９）が本体部材の設けられたため、ロック部材をスムーズに前後どうさせることが可能となり、より作業性が向上する。
【００１８】
請求項５の発明によれば、請求項１ないし４において、前記ロック部材に脱落防止部（５３）が設けられたため、作業中の安全性をより向上させることができる。
【００１９】
請求項６の発明によれば、請求項１ないし５において、前記ロック部材の先端部（５５）がくさび状に構成されたため、可動体の係合部に対して前記ロック部材をより確実に係合させることができる。
【００２０】
請求項７の発明によれば、請求項１ないし６において、前記ロック部材後部にハンマー打ち込み用の突部（５６）が形成されたため、可動体の係合部に対するロック部材の係合及び係合解除をより簡単に行うことができる。
【発明を実施するための最良の形態】
【００２１】
以下添付の図面に従ってこの発明を詳細に説明する。
図１は本発明の一実施例に係る仮設足場用連結構造体の斜視図、図２は仮設足場用連結構造体の取り付け前の状態を表した概略側面図、図３は仮設足場用連結構造体の可動体がくさび受けに挿入された状態を表した概略側面図、図４は支柱に仮設足場用連結構造体が取り付けられた状態を表した概略側面図である。
【００２２】
図１ないし図４に示す本発明の一実施例に係る仮設足場用連結構造体１０は、仮設足場用の筋交い材若しくは水平材若しくは垂直材等の足場材Ｐを支柱１１のくさび受け１５に取り外し可能に連結するためのものであって、本体部材２０と、上側固定くさび部３０と、可動体４０と、ロック部材５０とを有する。図において、符号Ｐ１は足場材Ｐの固定部を表す。
【００２３】
本体部材２０は、２つの板状部材２１、２２の間に保持ピン２５を有し、足場材Ｐを固定するものである。実施例の本体部材２０は、足場材Ｐの固定部Ｐ１を各板状部材２１，２２によって狭持するとともに、前記各板状部材２１，２２を貫通する固定ピン２３によって固定するように構成される。また、この本体部材２０には複数のガイドピン２６，２７，２８，２９が設けられており、そのうち、ガイドピン２６，２７が後述の可動体４０を上下方向に直動させるための上下動ガイドピンとして構成され、ガイドピン２７，２８，２９が後述のロック部材を前後方向に直動させるための前後動ガイドピンとして構成される。この実施例において、上下動ガイドピンとしてのガイドピン２６，２７は、本体部材２０の略中心位置に上下方向に略同一直線状で配置される。前後動ガイドピンとしてのガイドピン２７，２８，２９は、本体部材２０の下側に前後方向に略同一直線でガイドピン２７，２８が配置されるとともに、その上方にガイドピン２９が配置される。なお、図示したことからよく理解されるように、ガイドピン２７は上下動ガイドピンと前後動ガイドピンを兼ねるものである。
【００２４】
上側固定くさび部３０は、くさび受け１５の穴部１６に上方から抜き差し自在に本体部材２０に一体に形成される。実施例の上側固定くさび部３０は、その後部３２が本体部材２０に溶接によって一体に形成されている。図の符号３１はくさび受け１５の穴部１６に挿入可能な突部である。
【００２５】
可動体４０は、本体部材２０の保持ピン２５に係着して上下動するための縦溝部４２を有し、前側には上昇時にくさび受け１５の穴部１６に下方から挿入され下降時に前記くさび受け１５の穴部１６から抜去される下側可動くさび部４３が一体に突設され、後部には係合部４５が形成される。この可動体４０は、上下動ガイドピン２６，２７の前側に配置され、後部が縦溝部４２に係着した保持ピン２５とガイドピン２６，２７とによってスライド自在に狭持されることにより、上下方向への直動が可能に構成されている。また、この可動体４０の後部上側には後側に突出した脱落防止部４８が設けられていて、下方に直動させた際に前記脱落防止部４８が本体部材２０の上下動ガイドピン２６に係止されて脱落しないように構成される。
【００２６】
ロック部材５０は、可動体４０の係合部４５に対して前進時に係合し後退時には係合解除するように本体部材２０に進退自在に設けられている。実施例のロック部材５０は、前後動ガイドピン２７，２８，２９によってスライド自在に狭持されることにより、前後方向への直動が可能に構成されている。また、このロック部材５０の先端部上側には脱落防止部５３が設けられていて、後方に直動させた際に前記脱落防止部５３が本体部材２０の前後動ガイドピン２９に係止されて脱落しないように構成される。さらに、このロック部材５０は、先端部５５がくさび状に構成された棒状部材５１からなり、前記くさび状５５の先端部が可動体４０の係合部４５と係合可能に構成され、棒状部材５１の後部にはハンマー打ち込み用の突部５６形成されている。
【００２７】
次に、当該仮設足場用連結構造体１０による足場材Ｐの支柱１１への連結方法について図２〜図４を用いて説明する。連結前の仮設足場用連結構造体１０は、可動体４０が下方にスライドして保持ピン２５及び上下動ガイドピン２６によって縦溝部４２及び脱落防止部４８がそれぞれ係止されるとともに、ロック部材５０が後方にスライドして前後動ガイドピン２９によって脱落防止部５３が係止された状態である。
【００２８】
まず、図２に示すように、上側固定くさび部３０の突部３１を、くさび受け１５の穴部１６に上方から挿入することにより、当該仮設足場用連結構造体１０の支柱１１への連結が開始される。
【００２９】
次いで、図３に示すように、可動体４０を上下動ガイドピン２６，２７に沿って上方に直動させることにより、前記可動体４０の下側可動くさび部４３がくさび受け１５の穴部１６の下方から挿入されて、上側固定くさび部３０及び可動体４０によってくさび受け１５が上下両側から把持される。
【００３０】
そして、図４に示すように、ロック部材５０を前後動ガイドピン２７，２８，２９に沿って前方に直動させるとともに、該ロック部材５０の後部に形成された突部５６を後側から前側に向かってハンマー等を用いて打ち込んで前進させることにより、くさび状の先端部５５が可動体４０の係合部４５に係合され、前記可動体４０が固定されて当該仮設足場用連結構造体１０による足場材Ｐの支柱１１への連結が完了する。
【００３１】
また、足場材Ｐを支柱１１から取り外す場合は、まず、図４に示すように、ロック部材５０の突部５６を前側から後側に向かってハンマー等を用いて打ち込んで後退させることにより、くさび状の先端部５５を可動体４０の係合部４５から係合解除され、図３に示すように、前記可動体４０の固定が解除される。そして、図２に示すように、可動体４０を上下動ガイドピン２６，２７に沿って下方向に直動させることにより、前記可動体４０の下側可動くさび部４３がくさび受け１５の穴部１６から抜去され、続いて、上側固定くさび部３０の突部３１を受け１５の穴部１６から抜去させることで当該仮設足場用連結構造体１０の支柱１１からの取り外しが完了する。
【００３２】
上記の如く連結した仮設足場用連結構造体１０にあっては、くさび受け１５の穴部に上方から差し込み可能な上側固定くさび部３０と、本体部材２０の保持ピン２５に係着して上下動し上昇時にくさび受け１５の穴部１６に下方から挿入され下降時に前記くさび受け１５の穴部１６から抜去される下側可動くさび部４３が突設された可動体４０と、前記可動体４０の係合部４５に対して前進時に係合し後退時に係合解除するロック部材５０とを有するため、足場材Ｐを支柱１１に対して安全かつ確実に、しかも簡易に取り付けることができるとともに、取り外しも簡易に行うことができる。
【００３３】
なお、本発明の仮設足場用連結構造体は、前述の実施例のみに限定されるものではなく、発明の趣旨を逸脱しない範囲において構成の一部を適宜に変更して実施することができる。
【図面の簡単な説明】
【００３４】
【図１】本発明の一実施例に係る仮設足場用連結構造体の斜視図である。
【図２】仮設足場用連結構造体の取り付け前の状態を表した概略側面図である。
【図３】仮設足場用連結構造体の可動体がくさび受けに挿入された状態を表した概略側面図である。
【図４】支柱に仮設足場用連結構造体が取り付けられた状態を表した概略側面図である。
【図５】従来の仮設足場用連結構造体の概略側面図である。
【符号の説明】
【００３５】
１０  仮設足場用連結構造体
１１  支柱
１５  くさび受け
２０  本体部材
２１，２２  板状部材
２５  保持ピン
２６，２７，２８，２９  ガイドピン
３０  上側固定くさび部
４０  可動体
４２  縦溝部
４３  下側可動くさび部
４５  係合部
５０  ロック部材
【図１】
2007332552.tif 000003
【図２】
2007332552.tif 000004
【図３】
2007332552.tif 000005
【図４】
2007332552.tif 000006
【図５】
2007332552.tif 000007